(57)【要約】【課題】異なる位置にある被写体をそれぞれ画角の異なる撮影光学系で同時に撮影することができ撮影度の自由度を高める上で有利な撮像装置を提供する。【解決手段】撮像装置１００は、第１のケース１０と、第１のケース１０に連結された表示パネル３０と、表示パネル３０に連結された第２のケース２０とを備えている。第１のケース１０には第１の撮影光学系１２が配設されている。第１の撮影光学系１２は画角を広角から望遠の範囲で連続的に変えることができるズーム式として構成されている。第２のケース２０は表示パネル３０が使用位置に開かれた状態で第１のケース１０から離れた上面３００６箇所に、パン／チルト機構４０を介して設けられている。第２のケース２０の前面には第２の撮影光学系２２が配設されている。【選択図】        図１
2004282296.tif 000002
【特許請求の範囲】
【請求項１】
本体ケースと、
前記本体ケースに設けられ第１の撮影光学系を有し前記第１の撮影光学系で結像された被写体像を撮像して第１の撮像信号を生成する第１の撮影手段と、
前記本体ケースに設けられ第２の撮影光学系を有し前記第２の撮影光学系で結像された被写体像を撮像して第２の撮像信号を生成する第２の撮影手段と、
前記第２の撮影光学系が指向する方向を変える駆動手段と、
前記駆動手段を制御することにより前記第２の撮影光学系の指向方向を制御する指向方向制御手段と、
前記第１の撮像信号および第２の撮像信号に基づく画像情報を生成し、前記画像情報を記録媒体に記録する画像記録手段とを備え、
前記第１、第２の撮影光学系は、前記第１の光学系の撮影光学系の画角よりも前記第２の撮影光学系の画角が大となるように設定可能に構成されている、
ことを特徴とする撮像装置。
【請求項２】
前記本体ケースは表示パネルを含み、前記第１の撮像信号および第２の撮像信号に基づく画像を前記表示パネルに表示させる画像表示手段をさらに有することを特徴とする請求項１記載の撮像装置。
【請求項３】
前記本体ケースは、前記第１の撮影手段を収容する第１のケースと、前記第２の撮影手段を収容する第２のケースとを有し、前記第２のケースは前記第１のケースに揺動可能に連結されていることを特徴とする請求項１記載の撮像装置。
【請求項４】
前記本体ケースは表示パネルを含み、前記第１の撮像信号および第２の撮像信号に基づく画像を前記表示パネルに表示させる画像表示手段が設けられ、前記本体ケースは、前記第１の撮影手段を収容する第１のケースと、前記第２の撮影手段を収容する第２のケースと、前記表示パネルとを有し、前記表示パネルは、前記第１のケースに揺動可能に連結され、前記第２のケースは前記表示パネルに連結されていることを特徴とする。
【請求項５】
前記本体ケースは、前記第２の撮影手段を収容する第２のケースを有し、前記駆動手段は、前記第２のケースを動かすことで前記第２の撮影光学系が指向する方向を変えるように構成されていることを特徴とする請求項１記載の撮像装置。
【請求項６】
前記本体ケースは表示パネルを含み、前記第１の撮像信号および第２の撮像信号に基づく画像を前記表示パネルに表示させる画像表示手段が設けられ、前記本体ケースは、前記第１の撮影手段を収容する第１のケースと、前記第２の撮影手段を収容する第２のケースと、前記表示パネルとを有し、前記表示パネルは、前記第１のケースに揺動可能に連結され、前記第２のケースは前記表示パネルに連結され、前記駆動手段は、前記第２のケースを動かすことで前記第２の撮影光学系が指向する方向を変えるように構成されていることを特徴とする請求項１記載の撮像装置。
【請求項７】
前記本体ケースは表示パネルを含み、前記第１の撮像信号および第２の撮像信号に基づく画像を前記表示パネルに表示させる画像表示手段が設けられ、前記本体ケースは、前記第１の撮影手段を収容する第１のケースと、前記第２の撮影手段を収容する第２のケースと、前記表示パネルとを有し、前記表示パネルは前記第１のケースに、該表示パネルが前記第１のケースに合わされた収容位置と、前記第１のケースから側方に開かれた使用位置との間を揺動できるように連結され、前記表示パネルは上方を向いた上面を有し、前記表示パネルが使用位置に開かれた状態で前記第１のケースから離れた前記上面箇所に前記第２のケースが配設されていることを特徴とする請求項１記載の撮像装置。
【請求項８】
前記第１の撮影光学系の光軸と前記第２の撮影光学系の光軸とがほぼ平行となるようにしたときにこれら２つの光軸の間隔が人の眼幅とほぼ等しくなるように構成されていることを特徴とする請求項１記載の撮像装置。
【請求項９】
前記第１の撮影光学系の光軸と前記第２の撮影光学系の光軸とがほぼ平行となるようにしたときにこれら２つの光軸の間隔が人の眼幅とほぼ等しくなるように構成され、かつ、前記本体ケースの上面を上方に向け、本体ケースの下面を下方に向けた状態で前記第１の撮影光学系の光軸の高さ方向の位置と前記第２の撮影光学系の光軸の高さ方向の位置とがほぼ一致するように構成されていることを特徴とする請求項１記載の撮像装置。
【請求項１０】
前記第１の撮影光学系の光軸と前記第２の撮影光学系の光軸とがほぼ平行となるようにしたときにこれら２つの光軸の間隔が人の眼幅とほぼ等しくなるように構成され、前記本体ケースの上面を上方に向け、本体ケースの下面を下方に向けるとともに、前記表示パネルを使用位置に位置させた状態で前記第１の撮影光学系の光軸の高さ方向の位置と前記第２の撮影光学系の光軸の高さ方向の位置とがほぼ一致するように構成されていることを特徴とする請求項７記載の撮像装置。
【請求項１１】
音声を検出し該音声の検出結果に基づいて前記音声が発生した方向を求める音声方向検出手段をさらに有し、前記指向方向制御手段による駆動手段の制御は、前記第２の撮影光学系が前記音声方向検出手段で検出された方向を指向するようになされることを特徴とする請求項１記載の撮像装置。
【請求項１２】
前記画像記録手段による画像情報の記録媒体への記録は、前記第１の撮像信号に基づく第１の画像情報と、前記第２の撮像信号に基づく第２の画像情報とをそれぞれ独立して記録することによって行なわれることを特徴とする請求項１記載の撮像装置。
【請求項１３】
前記画像記録手段による画像情報の記録媒体への記録は、前記第１の撮像信号に基づく第１の画像情報と、前記第２の撮像信号に基づく第２の画像情報とをそれぞれ独立して記録することによって行なわれ、前記画像記録手段は、前記第１、第２の画像情報を再生する際に使用される編集情報を前記記録媒体に記録するように構成されていることを特徴とする請求項１記載の撮像装置。
【請求項１４】
前記画像記録手段による画像情報の記録媒体への記録は、前記画像記録手段が前記第１の撮像信号に基づく第１の画像情報と、前記第２の撮像信号に基づく第２の画像情報とを合成して第３の画像情報を生成し、この第３の画像情報を記録媒体に記録することによって行なわれることを特徴とする請求項１記載の撮像装置。
【請求項１５】
前記本体ケースは表示パネルを含み、前記第１の撮像信号および第２の撮像信号に基づく画像を前記表示パネルに表示させる画像表示手段をさらに有し、前記画像表示手段は、前記第１の撮像信号に基づく画像と、第２の撮像信号に基づく画像との何れかを選択して表示パネルに表示するように構成されていることを特徴とする請求項１記載の撮像装置。
【請求項１６】
前記本体ケースは表示パネルを含み、前記第１の撮像信号および第２の撮像信号に基づく画像を前記表示パネルに表示させる画像表示手段をさらに有し、前記画像表示手段は、前記第１の撮像信号に基づく画像と、第２の撮像信号に基づく画像とを同時に表示する請求項１記載の撮像装置。
【発明の詳細な説明】
【０００１】
【発明の属する技術分野】
本発明は撮像装置に関するものである。
【０００２】
【従来の技術】
従来から、撮影光学系にズーム機能を設けることにより画角（撮影倍率）を変更して撮影を行なえるようにしたビデオカメラなどの撮像装置がある。
このような撮像装置では、撮影光学系の画角を望遠方向に変更して撮影対象となる被写体をクローズアップして撮影したり、撮影光学系の画角を広角方向に変更して被写体を含む広い範囲を撮影している。
しかしながら、このような撮像装置では、撮影光学系が１つしか設けられていないため、画角の異なる映像を同時に撮影することはできなかった。
このような不都合を解消するため、２つのビデオカメラを、それぞれの撮影光学系が同一方向に指向した状態で単一のケースに収容し、一方の撮影光学系を望遠に設定し、他方の撮影光学系を広角に設定することで、望遠側の映像と広角側の映像とを同時に撮影する撮像装置が提供されている（例えば、特許文献１参照）。
【０００３】
【特許文献１】
特開平９−２１５０１２号公報
【０００４】
【発明が解決しようとする課題】
しかしながら、前記の撮像装置では、２つのビデオカメラの撮影光学系が指向する方向が同一であるため、２つのビデオカメラで同時に撮影できる範囲が限られてしまい、撮影の自由度が低いという問題があった。
本発明は、このような事情に鑑みなされたもので、その目的とするところは、異なる位置にある被写体をそれぞれ画角の異なる撮影光学系で同時に撮影することができ撮影の自由度を高める上で有利な撮像装置を提供することにある。
【０００５】
【課題を解決するための手段】
本発明は前記目的を達成するために、本体ケースと、前記本体ケースに設けられ第１の撮影光学系を有し前記第１の撮影光学系で結像された被写体像を撮像して第１の撮像信号を生成する第１の撮影手段と、前記本体ケースに設けられ第２の撮影光学系を有し前記第２の撮影光学系で結像された被写体像を撮像して第２の撮像信号を生成する第２の撮影手段と、前記第２の撮影光学系が指向する方向を変える駆動手段と、前記駆動手段を制御することにより前記第２の撮影光学系の指向方向を制御する指向方向制御手段と、前記第１の撮像信号および第２の撮像信号に基づく画像情報を生成し、前記画像情報を記録媒体に記録する画像記録手段とを備え、前記第１、第２の撮影光学系は、前記第１の光学系の撮影光学系の画角よりも前記第２の撮影光学系の画角が大となるように設定可能に構成されていることを特徴とする。
そのため、第１の光学系の撮影光学系の画角よりも第２の撮影光学系の画角が大となるように設定した状態で第２の撮影光学系の指向方向を変えることにより、異なる位置にある被写体を異なる画角で同時に撮影することができる。
【０００６】
【発明の実施の形態】
次に、本発明の実施の形態について図面を参照して説明する。
図１は本発明の実施の形態の撮像装置を前方から見た斜視図、図２は同撮像装置を後方から見た斜視図、図３は同撮像装置の制御系の構成を示すブロック図、図４は同撮像装置の記録系の構成を示すブロック図である。
図１、図２に示すように、本実施の形態では、撮像装置１００は動画データあるいは静止画データとしての画像情報を記録媒体である光ディスクカートリッジ２に記録するビデオカメラであり、撮像装置１００は、第１のケース１０と、第１のケース１０に連結された表示パネル３０と、表示パネル３０に連結された第２のケース２０とを備えており、第１のケースに第１の撮像手段が配設され、第２のケースに第２の撮影手段が配設されている。なお、第１、第２のケース１０、２０および表示パネルによって特許請求の範囲の本体ケースが構成されている。
【０００７】
第１のケース１０は、上下の高さと、前後の長さと、左右の幅とを有して形成され、本実施の形態では、第１のケース１０の高さは長さおよび幅よりも大きな寸法で形成され、長さは幅よりも大きな寸法で形成されている。なお、本実施の形態では、撮像装置１００の左右は該撮像装置１００を後方から見た状態でいうものとする。
第１のケース１０の前面上部には第１の撮影光学系１２が配設され、この撮影光学系１２を通して結像された被写体像を検出して撮像信号を出力する第１の撮像素子１３（図３）が第１のケース１０の内部に組み込まれ、第１の撮影手段１１は、これら第１の撮影光学系１２および第１の撮像素子１３によって構成されている。
また、本実施の形態では、第１の撮影光学系１２は画角（撮影倍率）を広角から望遠の範囲で連続的に変えることができるズーム式として構成されている。
第１のケース１０の右側面の上部には、表示パネル３０上において第２のケース２０を水平面に沿って、すなわちパン方向Ｐに揺動させる際に回転操作するパン操作用ダイヤル１６と、表示パネル３０上において第２のケース２０を垂直面に沿って、すなわちチルト方向Ｔに揺動させる際に回転操作するチルト操作用ダイヤル１８とが設けられている。
第１のケース１０の右側面の前部には、撮影スイッチ１４Ａ、再生スイッチ１４Ｂ、表示設定スイッチ１４Ｃ、動作モードスイッチ１４Ｄ、ズームスイッチ１４Ｅなどが設けられている。撮影スイッチ１４Ａは撮影のスタートとストップを行なう際に操作するものである。再生スイッチ１４Ｂは、光ディスク２に記録されている画像情報を再生する際に操作するものである。表示設定スイッチ１４Ｃは、第２のケース２０のパン方向Ｐおよびチルト方向Ｔに揺動させる際の動作モードを、２つの操作ダイヤル１６、１８の操作で第２のケース２０の揺動を行なう手動モードと、自動的に第２のケース２０の揺動を行なう自動モードとの何れかに設定する際に操作するものである。ズームスイッチ１４Ｅは、第１の撮影光学系１２の画角を広角方向および望遠方向に変化させる際に操作するものである。
【０００８】
第１のケース１０の上面の前部には記録媒体に音声情報を記録するための音声を検出する録音用マイク１５が設けられている。
第１のケース１０の内部には、第１の撮像素子１３から出力される撮像信号に基づいて表示される被写体像を表示する液晶表示器１９０２（図３）が設けられ、第１カメラ本体１１の後面上部には液晶表示器１９０２を視認するための接眼窓１９０４が設けられ、これら液晶表示器１９０２と接眼窓１９０４によって電子式ビューファインダ１９が構成されている。
第１のケース１０の内部には記録部２００（図３、図４）が設けられており、この記録部２００と連通するディスク挿入排出口１００６が第１のケース１０の後面下部に設けられている。光ディスクカートリッジ２は、挿入排出口１００６を介して記録部２００に装填されるとともに、記録部２００から取り外され挿入排出口１００６を介して外方に排出されるようになっている。
第１のケース１０の前面下部および後面下部にはベルト１００４の両端がそれぞれ取着され、ベルト１００４と右側面との隙間に手を入れることによって第１のケース１０をしっかり手で保持できるように構成されている。
【０００９】
表示パネル３０は、その右側面３００２が第１のケース１０の上下方向に軸心を向けたヒンジ１００２を介して第１のケース１０の左側面１００１の前部に取着されている。これにより表示パネル３０は、表示パネル３０が第１のケース１０の左側面１００１に合わされた収容位置と、図１、図２に示すように、第１のケース１０から左側方に開かれた使用位置との間を揺動する。
表示パネル３０の内部には、例えば液晶表示器などからなるディスプレイ３２が表示パネル３０の後面の窓３００４を介して外方に臨むように収容されている。
表示パネル３０は、左右の幅と上下の高さと前後の厚さを有し、本実施の形態では、幅は高さおよび厚さよりも大きな寸法で形成され、横長の矩形板状を呈している。
【００１０】
第２のケース２０は、表示パネル３０の上面３００６の長手方向でヒンジ１００２と反対側寄りの箇所、すなわち、表示パネル３０が使用位置に開かれた状態で第１のケース１０から離れた上面３００６箇所に、パン／チルト機構４０（移動手段）を介して設けられている。
第２のケース２０は、上下の高さと、前後の長さと、左右の幅とを有して形成され、本実施の形態では、第２のケース２０の幅は高さおよび長さよりも大きな寸法で形成されている。
第２のケース２０の前面には第２の撮影光学系２２が配設され、この撮影光学系２２を通して結像された被写体像を検出して撮像信号を出力する第２の撮像素子２３（図３）が第２のケース２０の内部に組み込まれ、第２の撮影手段２１は、これら第２の撮影光学系２２および第２の撮像素子２３によって構成されている。
また、本実施の形態では、第２の撮影光学系２２は画角（撮影倍率）が広角側の所定値に設定されている。
第２のケース２０の前面には２つのマイクからなる方向検出用マイク２４が配設され、これら方向検出用マイク２４は撮像装置１００の周囲で発生する音声を検出して音声信号を生成するように構成されている。
パン／チルト機構４０は、表示パネル３０の上面３００６に設けられ、軸部４２を介して第２のケース２０の下面に連結されている。パン／チルト機構４０は、パン／チルト駆動部１１８から供給される制御信号に基づいて軸部４２をパン方向およびチルト方向に揺動することによって、第２のケース２０を動かし第２の撮影光学系２２が指向する方向を変えるように構成されている。
【００１１】
次に図３、図４を参照して撮像装置１００の制御系の構成について説明する。
なお、図３、図４においては信号記録系のみを示しており、再生系やサーボ系は省略している。
撮像装置１００において、コントローラ１０２は全体の動作制御を行なうものであり、ＣＰＵ、ＲＡＭ、ＲＯＭ、フラッシュＲＯＭなどを備えたマイクロコンピュータにより構成されている。
第１の映像処理部１０４は、第１の撮像素子１３から出力された第１の撮像信号に対してフレーム処理、圧縮処理など必要な信号処理を施し、処理した信号を第１の映像信号Ｖｍとして記録部２００に供給するように構成されている。
第２の映像処理部１０６は、第２の撮像素子２３から出力された第２の撮像信号に対してフレーム処理、圧縮処理など必要な信号処理を施し、処理した信号を第２の映像信号Ｖｍとして記録部２００に供給するように構成されている。
音声処理部１０７は、録音用マイク１５から出力された音声信号に対して増幅など必要な信号処理を施し、処理した信号を記録用の音声信号として記録部２００に供給するように構成されている。
【００１２】
図４に示すように、記録部２００は、光ディスクカートリッジ２に対して第１、第２の光ピックアップ２０２、２０４により独立して画像データの記録を行なうように構成されている。
光ディスクカートリッジ２は、カートリッジ２Ａと該カートリッジ２Ａに収容される光ディスク２Ｂから構成されている。
記録部２００は、スピンドルモータ２０１、第１、第２の光ピックアップ２０２、２０４、第１、第２のレーザードライバ２０６、２０８、第１、第２のエンコーダ２１０、２１２、ドライブコントローラ２１４などを備えている。
スピンドルモータ２０１は、ディスク挿入排出口１００６から記録部２００に装填された光ディスクカートリッジ２の光ディスク２Ｂを回転するように構成されている。
第１、第２の光ピックアップ２０２、２０４は、カートリッジ２Ａの開口を介して光ディスク２Ｂの記録面に対向するように構成されている。
第１のエンコーダ２１０は、第１の映像処理部１０４から供給される第１の映像信号Ｖｍにエラー訂正符号処理、スクランブル処理、データ処理、データフォーマット処理などの所定のエンコードを行なうように構成されている。
同様に、第２のエンコーダ２１２は、第２の映像処理部１０６から供給される第２の映像信号Ｖｓにエラー訂正符号処理、スクランブル処理、データ処理、データフォーマット処理などの所定のエンコードを行なうように構成されている。
第１のレーザードライバ２０６は、第１のエンコーダ２１０から供給されるエンコード済みの第１の映像信号Ｖｍに基づいて第１の光ピックアップ２０２のレーザー光源の出力を変調させることにより、光ディスク２Ｂの記録面に第１の映像信号Ｖｍに基づく第１の画像情報を記録するように構成されている。
同様に、第２のレーザードライバ２０８は、第２のエンコーダ２１２から供給されるエンコード済みの第２の映像信号Ｖｓに基づいて第２の光ピックアップ２０４のレーザー光源の出力を変調させることにより、光ディスク２Ｂの記録面に第２の映像信号Ｖｓに基づく第２の画像情報を記録するように構成されている。
光ディスク２Ｂの記録面に対する第１、第２の画像情報の記録は、相変化記録方式、あるいは、色素変化記録方式によって記録面に記録マークが形成されることによってなされる。
【００１３】
ドライブコントローラ２１４は、コントローラ１０２の指示に応じて光ディスク２Ｂに対するへの記録再生動作を実行させる制御を行なう。
すなわち、記録部２００において、図示しないサーボ系の制御を行ない、スピンドルモータ２０１の回転駆動制御、第１、第２の光ピックアップ２０２、２０４のそれぞれのフォーカス、トラッキング、スレッド移動制御、レーザパワー制御などを行なうとともに、不図示の再生制御系の制御、光ディスク２Ｂからのアドレスや制御情報の読取も行なうように構成されている。
本例の場合、第１の光ピックアップ２０２によって光ディスク２Ｂに記録される第１の画像情報と、第２の光ピックアップ２０４によって光ディスク２Ｂに記録される第２の画像情報とは、光ディスク２Ｂの異なる周回トラック上に離散的に記録される。ドライブコントローラ２１４は、第１、第２の画像情報が同時に記録され、また、同時に再生されるように管理情報を光ディスク２Ｂに書き込むための制御も行なう。
なお、記録部２００による音声情報の光ディスクカートリッジ２に対する記録は、音声処理部１０７から供給される記録用の音声信号に基づいてなされ、第１、第２の光ピックアップ２０２、２０４の何れか一方、または、双方によって行なうように構成されている。また、音声情報の記録および再生は従来公知の構成によってなされるため詳細な説明は省略する。
【００１４】
図３に示すように、画像合成部１０８は、画像合成部１０８は、第１の映像処理部１０４から供給される第１の映像信号Ｖｍと、第２の映像処理部１０６から供給される第２の映像信号Ｖｓとを１画面内（１フレーム内）に画面分割状態で同時に表示されるように合成処理を行なうように構成されている。また、画像合成部１０８は、第１の映像信号Ｖｍと第２の映像信号Ｖｓとの何れかを選択して１画面内（１フレーム内）に表示されるように選択処理も行なうように構成されている。
ディスプレイ駆動部１１０は、画像合成部１０８から供給される映像信号、すなわち合成処理された映像信号、あるいは、選択された映像信号に基づいて表示パネル３０のディスプレイ３２に画像を表示させるように構成されている。
ＬＣＤディスプレイ駆動部１１２は、画像合成部１０８から供給される映像信号、すなわち合成処理された映像信号、あるいは、選択された映像信号に基づいて電子式ビューファインダ装置１９の液晶表示器１９０２に画像を表示させるように構成されている。
また、図示していないが、光ディスク２Ｂに記録された第１、第２の画像情報を、記録部２００で再生させ再生信号を得るとともに、この再生信号を画像合成部１０８に供給することにより、画像合成部１０８によってディスプレイ３２および液晶表示器１９０２に前記合成された映像信号に基づく画像、あるいは、選択された映像信号に基づく画像を表示させるように構成されている。なお、液晶表示器１９０２における画像の表示は、ディスプレイ３２における画像の表示と同様に行なわれるため、以下ではディスプレイ３２における画像の表示についてのみ説明する。
【００１５】
ズーム機構部１１４は、第１の撮影光学系１２を構成する複数のレンズを光軸方向に移動させることで画角（撮影倍率）を広角方向あるいは望遠方向に変更するように構成されている。
ズーム駆動部１１６は、コントローラ１０２から供給される制御信号に基づいてズーム機構部１１４に駆動信号を供給して該ズーム機構部１１６を駆動するように構成されている。
パン／チルト駆動部１１８は、コントローラ１０２から供給される制御信号に基づいてパン／チルト機構部４０に駆動信号を供給して該パン／チルト機構部４０を駆動することにより、第２のケース２０をパン方向Ｐおよびチルト方向Ｔに揺動するように構成されている。
音声認識部１２０は、第２のケース２０に設けられている２つの方向検出用マイク２４で検出された２つの音声信号に基づいて音声を発生した音源の方向を特定するとともに、第２の撮影光学系２２の指向方向を前記音源に指向させるために必要な第２のケース２０の移動量、すなわち、パン方向Ｐの揺動量とチルト方向Ｔの揺動量とを計算し、コントローラ１０２に供給するように構成されている。
コントローラ１０２は、動作モードスイッチ１４Ｄが手動モードに操作された際には、パン操作ダイヤル１６、チルト操作ダイヤル１８それぞれの回転量に応じて、パン／チルト駆動部１１８に制御信号を与えることでパン／チルト機構部４０を駆動させ、これにより第２のケース２０をパン方向Ｐおよびチルト方向Ｔに揺動させるように構成されている。
また、コントローラ１０２は、動作モードスイッチ１４Ｄが自動モードに操作された際には、音声認識部１２０から供給されるパン方向Ｐおよびチルト方向Ｔの揺動量に応じて、パン／チルト駆動部１１８に制御信号を与えることでパン／チルト機構部４０を駆動させ、これにより第２のケース２０をパン方向Ｐおよびチルト方向Ｔに揺動させ、第２の撮影光学系２２が音源を指向するように構成されている。
また、コントローラ１０２は、表示設定スイッチ１４Ｃの操作により、画像合成部１０８を制御して、第１の映像信号Ｖｍあるいは第２の映像信号Ｖｓの何れかを選択してディスプレイ３２に表示させ、また、第１の映像信号Ｖｍおよび第２の映像信号Ｖｓを合成してディスプレイ３２に表示させるように構成されている。
本実施の形態では、コントローラ１０２および記録部２００によって特許請求の範囲の画像記録手段が構成されている。また、コントローラ１２０およびパン／チルト駆動部１１８によって特許請求の範囲の指向方向制御手段が構成されている。また、コントローラ１２０、画像合成部１０８およびディスプレイ駆動部１１０によって特許請求の範囲の画像表示手段が構成されている。また、方向検出用マイク２４および音声認識部１２０によって特許請求の範囲の方向検出手段が構成されている。
【００１６】
次に、図５、図６を参照して、撮影時の動作について説明する。
本例では、被写体となる人物が二人おり、第１の人物Ｐ１を撮影すると同時に第１の人物Ｐ１を見ている第２の人物Ｐ２も撮影する場合について説明する。また、撮像装置１００と第１の人物Ｐ１との距離Ｌ１が撮像装置１００と第２の人物Ｐ２との距離Ｌ２よりも遠くなるように撮像装置１００が位置しているものとする。
図５に示すように、撮像装置１００を三脚Ａの雲台に取着し、第１の撮影光学系１２が人物Ｐ１を指向し、かつ、使用位置に揺動された表示パネル３０のディスプレイ３２が第２の人物Ｐ２に臨むように撮像装置１００の方向を調整する。
そして、第１の撮影手段１１によって生成された第１の撮像信号Ｖｍによる第１の人物Ｐ１の画像をディスプレイ３２に表示させ、ズームスイッチ１４Ｅを操作して所望の画角となるように設定する。
また、動作モードスイッチ１２Ｄを手動側に操作し、パン方向操作ダイヤル１６とチルト方向操作ダイヤル１８を回転操作することにより、第２の撮影手段２１によって生成された第２の撮像信号Ｖｓによる第２の人物Ｐ２の画像をディスプレイ３２に表示させる。
また、コントローラ２０は、画像合成部１０８を制御することにより、ディスプレイ３２上を２つに画面分割し、第１の人物Ｐ１の画像と第２の人物Ｐ２の画像とを同時に表示させる。本例では、図４に示すように、第１の人物Ｐ１の画像が表示される領域の面積が広く、第２の人物Ｐ２の画像が表示される領域の面積が狭くなっているが、ディスプレイ３２上に表示される２つの画像を表示する領域の面積をどのような配分とするかは任意である。
次いで、撮影スイッチ１４Ａを操作して撮影動作を開始させることにより、第１、第２の撮像信号Ｖｍ、Ｖｓに基づく第１、第２の画像情報が光ディスク２Ｂに同時に記録される。
撮影動作中に、ズームスイッチ１４Ｅを操作することにより、第１の撮影光学系１２の画角を広角方向あるいは望遠方向に任意に変えることができる。
また、撮影動作中に、パン方向操作ダイヤル１６とチルト方向操作ダイヤル１８を回転操作して第２の撮影光学系２２の指向方向をパン方向Ｐとチルト方向Ｔに任意に変えるだけで、第２の撮影光学系２２によって広角に対応した画角で撮像装置１０の周辺を容易に撮影することができる。
撮影スイッチ１４Ａを再度操作することにより撮影動作を終了させることにより、第１、第２の画像情報の光ディスク２Ｂへの記録が停止される。
【００１７】
次に、画像情報の再生時の動作について説明する。
撮像装置１００の再生スイッチ１４Ｂを操作することにより、コントローラ１０２が記録部２００を制御して再生動作を実行する。この際、表示設定スイッチ１４Ｃの操作により、図６（Ａ）に示すように第１の人物Ｐ１の画像が表示される状態と、図６（Ｂ）に示すように第２の人物Ｐ２の画像が表示される状態と、図６（Ｃ）に示すように第１の人物Ｐ１の画像と第２の人物Ｐ２の画像とが合成されて表示される状態とが任意に選択される。
【００１８】
次に、第２のケース２０のパン方向Ｐおよびチルト方向Ｔへの揺動を自動的に行なわせる自動モードを用いた撮影動作について説明する。
撮像装置１００がパーティ会場などに設置されている場合、動作モードスイッチ１２Ｄを自動側に操作したとする。
このとき、拍手や歓声などの音声が発生すると、この音声を検出した方向検出用マイク２４から音声信号が音声認識部１２０に供給され、これにより音声認識部１２０で生成されたパン方向Ｐの揺動量とチルト方向Ｔの揺動量のデータがコントローラ１０２に供給され、コントローラ１０２がパン／チルト駆動部１１８を制御してパン／チルト機構部４０を駆動させることにより第２のケース２０が動かされ第２の撮影光学系２２が音声の発生した方向を指向する。
したがって、第２の撮影光学系２２は音声が発生した方向を常に撮影することになり、撮像装置１００の周囲の状況を適確に撮影することができる。
【００１９】
したがって、第１の撮影光学系１２の画角よりも第２の撮影光学系２２の画角を大きく、すなわち広角側に設定することにより、第１の撮影光学系１２で撮影を行なうと同時に、第１の撮影光学系１２の画角では撮影できない範囲を第２の撮影光学系２２によって撮影することができる。
また、第２の撮影光学系２２の指向方向を動かすことにより、第１の撮影光学系１２で撮影を行なうと同時に、第１の撮影光学系１２の指向方向以外の撮影範囲を第２の撮影光学系２２によって容易に撮影することができる。
したがって、１つの撮像装置しか使用していないのにも拘わらず異なる範囲の被写体を同時に撮影し異なる被写体の双方の画像情報を記録媒体に記録することができ、撮影の自由度を向上する上で有利となる。
このため、例えば、撮影対象となる第１の人物と、第１の人物とは異なる位置にいる第２の人物とを同時に撮影して第１、第２の人物の双方の表情や動きをもれなく記録することができる。
また、撮影対象となる被写体と、この被写体を含む広い範囲とを同時に撮影することにより、被写体をクローズアップした画像と、この被写体を含む広い範囲の画像との双方を同時に記録媒体に記録することができ、被写体とそれを取り巻く周囲の双方の状況をもれなく記録できる。
また、記録媒体としての光ディスク２Ｂに記録されている第１、第２の画像情報の何れかを選択して再生したり、第１、第２の画像情報を合成して再生したりすることができ、第１、第２の画像情報を好みに応じて多様な形態で再生することができる。
また、音声が発生した方向に第２の撮影光学系２２を指向させるようにした場合には、撮像装置１００を操作する撮影者がいない無人状態での撮影が可能となるため、被写体となる人の自然な表情や動きを撮影する上で有利である。
また、第１、第２の撮影光学系１２、２２がほぼ平行となるようにしたときにこれら２つの光軸の間隔が人の眼幅とほぼ等しくなるように構成され、かつ、第１、第２のケース１０、２０の上面を上方に向け、第１、第２のケース１０、２０の下面を下方に向けるとともに、表示パネル３０を使用位置に位置させた状態で第１の撮影光学系１２の光軸の高さ方向の位置と第２の撮影光学系２２の光軸の高さ方向の位置とがほぼ一致するように構成すれば、第１、第２の撮影光学系１２、２２の画角を同じ値に設定することにより、１つの被写体を異なる角度から撮影した２種類の画像情報を得ることができる。このような２種類の画像情報を用いることにより、公知技術を用いて立体画像を形成することが可能となる。
また、本実施の形態では、第２の撮影光学系２２が表示パネル３０に設けられているので、表示パネル３０を使用位置に揺動させることにより、第１、第２の撮影光学系１２、２２の光軸の間の距離をほぼ眼幅程度に設定することが容易であり、立体画像を形成するための２つの画像情報を専用の光学装置を用いることなく簡単な構成で容易に得ることができる。
【００２０】
なお、本実施の形態では、第１、第２の画像情報を独立して記録媒体に記録したが、第１、第２の画像情報を合成して第３の画像情報を生成し、この第３の画像情報を第１、第２の画像情報とともに記録媒体に記録してもよいし、あるいは第３の画像情報のみを記録媒体に記録してもよい。
また、記録媒体の再生時において第１、第２の画像情報をどのような形態で再生するかを指示する編集情報、例えば、第１、第２の画像情報を合成して第３の画像情報を生成し、この第３の画像情報を再生することを指示する情報を、記録媒体に記録するようにしてもよい。
また、第１、第２の画像情報の記録媒体への記録方式は任意であり、第１、第２の画像情報を時分割して記録してもよい。また、第１、第２の画像情報を圧縮して記録媒体に記録することも任意である。
また、本実施の形態では、第１、第２の画像情報を単一の記録媒体に記録したが、第１、第２の画像情報をそれぞれ別の記録媒体に記録するようにしてもよい。
また、第１、第２の撮影手段をそれぞれ１つずつ設けたが、第１、第２の撮影手段の数は任意である。
また、本実施の形態では、記録媒体として光ディスク（光磁気ディスクを含む）を用いたが、本発明はこれに限定されるものではなく、例えば、磁気ディスク、メモリカード、磁気テープなどを用いることができる。
また、本実施の形態では、撮像装置１０がビデオカメラである場合について説明したが、例えばデジタルスチルカメラなどのような他の撮像装置にも本発明は無論適用される。
【００２１】
【発明の効果】
以上説明したように本発明の撮像装置は、異なる位置にある被写体をそれぞれ画角の異なる撮影光学系で同時に撮影することができ撮影の自由度を高める上で有利である。
【図面の簡単な説明】
【図１】本発明の実施の形態の撮像装置を前方から見た斜視図である。
【図２】同撮像装置を後方から見た斜視図である。
【図３】同撮像装置の制御系の構成を示すブロック図である。
【図４】同撮像装置の記録系の構成を示すブロック図である。
【図５】撮像装置によって第１、第２の人物を撮影する状態を示す説明図である。
【図６】（Ａ）第１の人物の画像がディスプレイに表示された状態を示す説明図、（Ｂ）第２の人物の画像がディスプレイに表示された状態を示す説明図、（Ｃ）第１、第２の人物の画像が合成されてディスプレイに表示された状態を示す説明図である。
【符号の説明】
１０……第１のケース、１１……第１の撮影手段、１２……第１の撮影光学系、１３……第１の撮像素子、２０……第２のケース、２１……第２の撮影手段、２２……第２の撮影光学系、２３……第２の撮像素子、３０……表示パネル、１００……撮像装置、１０２……コントローラ。
【図１】
2004282296.tif 000003
【図２】
2004282296.tif 000004
【図３】
2004282296.tif 000005
【図４】
2004282296.tif 000006
【図５】
2004282296.tif 000007
【図６】
2004282296.tif 000008